(57)【要約】【課題】  一箇所からの光源の照射で収納ケースの上面開口周縁の全体を綺麗に照らし、夜間の視認性を高めるだけでなく装飾性を高めて見栄えを良くする容器ホルダを提供する。【解決手段】  容器を収納するホルダ本体1と、透光性を有する環状盤にして、ホルダ本体1の収納穴10の上面開口に環孔20がくるようにして該ホルダ本体上に配される環状部21と該環状部からその接線方向に突出する導入部25とが一体成形されると共に、該環状部の外周側面には厚み方向にわたって等しい断面形状の窪み22が複数繰り返し配設され、且つ該導入部の外側面25にも窪み26が複数繰り返し配設されるか、又は環状部21の厚み方向に貫通する複数の透孔23が間隔をおいて該環状部を周回するよう繰り返し配設される導光部材2と、を具備し、導入部25から環状部21へ光を入射することにより窪み22,26又は透孔26の形成で光反射の縦縞模様を出現させる。【選択図】  図８
2010132201.tif 000002
【特許請求の範囲】
【請求項１】
容器を収納するホルダ本体と、透光性を有する樹脂製環状盤にして、前記ホルダ本体の収納穴の上面開口に環孔がくるようにして該ホルダ本体上に配される環状部と該環状部からその接線方向に突出する導入部とが一体成形されると共に、該環状部の外周側面には厚み方向にわたって等しい断面形状の窪みが複数繰り返し配設され、且つ該導入部の外側面にも窪みが複数繰り返し配設されるか、又は環状部の厚み方向に貫通する複数の透孔が間隔をおいて該環状部を周回するよう繰り返し配設される導光部材と、を具備し、
前記導入部から前記環状部へ光を入射することにより、前記窪み又は前記透孔の形成で光反射の縦縞模様を出現させることを特徴とする容器ホルダ。
【請求項２】
前記環状部の外周側面及び前記導入部の外側面に配設される複数の前記窪みを同形状とし、さらに各窪みが一定間隔で繰り返し配設される請求項１記載の容器ホルダ。
【請求項３】
前記ホルダ本体上で前記導光部材が配される部位に、該導光部材の平面視大きさよりも大きくして該導光部材の外周を囲い、且つ該導光部材の厚みよりも高く隆起させたリブ状ガイド堤を、さらに具備する請求項１又は２に記載の容器ホルダ。
【請求項４】
前記環状部の外周側面側に又は前記ガイド堤の内壁面側に、さらに反射構造膜を設ける請求項３記載の容器ホルダ。
【発明の詳細な説明】
【技術分野】
【０００１】
本発明は、自動車の車室内などに装備される容器ホルダに関する。
【背景技術】
【０００２】
自動車の車室内のコンソールボックスやインストルメントパネルの前面等には、ペットボトルや飲料缶などの飲料容器を一時保管するのに便利な容器ホルダが設けられている。容器ホルダの上面開口からホルダ収納穴へ飲料容器を収納することで、走行中の振動や急停止等によっても飲料容器が転倒しないよう保持される。
ところで、夜間走行中は容器ホルダの位置確認が難しくなる。そこで、夜間でも光源からの光をホルダ収納部に照射して見やすくし、さらに照射によって見栄えを向上させた容器ホルダが提案されている（例えば特許文献１）。
【０００３】
【特許文献１】特開２００５−２９７８１１公報
【０００４】
特許文献１の特許請求の範囲には、「操作部材が透明性を有する素材によって形成され、照射時の光道となる所定箇所には凹凸形状が形成されており、前記操作部材の回動操作を行うと、この回動運動に伴って、前記所定箇所に形成された凹凸形状が順に照射位置を通過する」技術内容が記載されている。
【発明の開示】
【発明が解決しようとする課題】
【０００５】
しかるに、特許文献１は、「把持部２２の内側側面２２ａに円弧方向にわたって凹凸形状２６が複数設けられている。したがって、操作部材２０の回動操作を行うことにより、これら凹凸形状２６がＬＥＤ９１を順に通過する。このとき、照射された際の光の透過量、凹凸形状２６のそれぞれの厚みの違いによって異なる。したがって、操作部材２０の回動操作を行うと、この回動運動に伴って操作部材２０を透過する光の明るさが変化する。」構成である。さらに、ＬＥＤからの光がリング状の操作部材の円形の中心を通る法線方向に照射される構成である。そのため、「照射された光は、半透明の操作部材２０を透過して、把持部２２の上面２２ｂ側に現れる。」が、「このとき、ＬＥＤ９１から照射された光は、操作部材２０に形成された凹凸形状２６によって明暗がぼやけて現れる。」にすぎないとする。ＬＥＤから操作部材のリング状円形の中心を通るように照射される光は、ＬＥＤを通過する操作部材の内側に形成された凹凸形状を一部が素通りし、残りが該凹凸形状に当たって反射する。該凹凸形状によって反射されても、そこからリング状操作部材の外方に向け放散してしまうため、光の減衰が大きくなることが予想される。操作部材の回動操作によって、ＬＥＤの前を通過する箇所及びその周辺でしか明るさが得られない虞がある。勿論、複数の箇所にＬＥＤを設置し数を増やせば良いが、その分、コスト増,消費電力増になる。
【０００６】
本発明は、上記問題点を解決するもので、低コストにして、一箇所からの光源の照射で収納ケースの上面開口周縁の全体を綺麗に照らし、夜間の視認性を高めるだけでなく、装飾性を高めて見栄えを良くし、さらに日中でも日の光でその装飾模様を出現させることのできる容器ホルダを提供することを目的とする。
【課題を解決するための手段】
【０００７】
上記目的を達成すべく、請求項１に記載の発明の要旨は、容器を収納するホルダ本体と、透光性を有する樹脂製環状盤にして、前記ホルダ本体の収納穴の上面開口に環孔がくるようにして該ホルダ本体上に配される環状部と該環状部からその接線方向に突出する導入部とが一体成形されると共に、該環状部の外周側面には厚み方向にわたって等しい断面形状の窪みが複数繰り返し配設され、且つ該導入部の外側面にも窪みが複数繰り返し配設されるか、又は環状部の厚み方向に貫通する複数の透孔が間隔をおいて該環状部を周回するよう繰り返し配設される導光部材と、を具備し、前記導入部から前記環状部へ光を入射することにより、前記窪み又は前記透孔の形成で光反射の縦縞模様を出現させることを特徴とする容器ホルダにある。
請求項２の発明たる容器ホルダは、請求項１で、環状部の外周側面及び前記導入部の外側面に配設される複数の前記窪みを同形状とし、さらに各窪みが一定間隔で繰り返し配設されることを特徴とする。請求項３の発明たる容器ホルダは、請求項１又は２で、ホルダ本体上で前記導光部材が配される部位に、該導光部材の平面視大きさよりも大きくして該導光部材の外周を囲い、且つ該導光部材の厚みよりも高く隆起させたリブ状ガイド堤を、さらに具備することを特徴とする。請求項４の発明たる容器ホルダは、請求項３で、環状部の外周側面側に又はガイド堤の内壁面側に、さらに反射構造膜を設けることを特徴とする。
【発明の効果】
【０００８】
本発明の容器ホルダは、低コスト且つ比較的簡便な構造にして、一箇所からの光源の照射で、収納ケースたるホルダ本体の収納穴及びその上に配する導光部材の環孔内を鮮やかな環状縦縞模様の光で明るく照らし、夜間における飲料容器を収納する収納穴の視認性を高めるだけでなく、装飾性を高めて見事な光の演出を提供でき、さらに日中でも日の光でその縦縞装飾模様を出現させることができるなど優れた効果を発揮する。
【発明を実施するための最良の形態】
【０００９】
以下、本発明に係る容器ホルダについて詳述する。図１〜図８は本発明の容器ホルダの一形態を示したもので、図１はその全体斜視図、図２は導光部材の斜視図、図３は導光部材に接続部材を組付けた斜視図、図４は(イ)が図２の導光部材の外周側面に反射構造膜を付加した平面図、(ロ)が(イ)のII−II線断面図である。図５は(イ)が図４とは他態様の導光部材の外周側面に反射構造膜を付加した平面図、(ロ)が(イ)のIII−III線断面図である。図６は(イ)が図４,図５とはまた別態様の導光部材の外周側面に反射構造膜を付加した平面図、(ロ)が(イ)のIV−IV線断面図である。図７は奥方のホルダ本体の受面に図６の導光部材を載置した斜視図、図８は図７の状態からさらに手前のホルダ本体の受面に図２の導光部材を載置した斜視図である。
【００１０】
容器ホルダはホルダ本体１と導光部材２と接続部材３と光源４と上蓋７とを具備する(図８)。これら各構成部品を組立てた容器ホルダは、図１のごとく車室内の運転席と助手席との間に設置されるコンソールボックス９の前部に取付けられる。
【００１１】
ホルダ本体１は、容器ホルダの外形主要部たる収納ケースで、ペットボトル等の飲料容器を収納する収納穴１０が設けられた樹脂成形品である(図１)。ここでのホルダ本体１は、平坦な上板部１１と該上板部の外周縁から下降延設する側板部１２とで図７のような平面視オーバル形の筒体にし、その上板部１１に収納穴１０を二箇所設ける。該収納穴が形成する収納部は、上板部１１の上面開口縁から下方へ延設される円筒壁１３とその下面開口を塞ぐ底壁１４とで有底筒体にする。収納穴１０の上面開口１０ａは導光部材２の環状部２１の環孔２０の大きさに合わせた大きさである。本実施形態は上面開口１０ａと導光部材２の環孔２０の口径を一致させる。上面開口１０ａに環孔２０がくるようにしてホルダ本体１上に導光部材２の環状部２１が配されるが、ホルダ本体１上で両導光部材２が配される部位にはリブ状ガイド堤１５が設けられる。
【００１２】
前記ガイド堤１５はホルダ本体１の上板部１１で導光部材２が配される部位に設けられる(図７,図８)。ガイド堤１５は導光部材２の平面視大きさよりも若干大きくして該導光部材の外周を囲い、且つ該導光部材の厚みよりも高く隆起させた囲い塀のようになっている。図７のごとく上板部１１に導光部材２が載置される受面１１ａを確保して、その載置された導光部材２の外周側面２１ｂを、該ガイド堤が当接又は近接するように囲う。ホルダ本体１の上板部１１に起立するガイド堤１５は、導光部材２を容易にセットできるように設けられ、且つセットされた該導光部材の環孔２０が上面開口１０ａから横ズレするのを防止する。ガイド堤１５は環状部用堤１５ａと導入部用堤１５ｂとからなるが、該ガイド堤に係止,セットされた導光部材２の導入部２５の端面２５ｅ側を開放しており、この箇所の入口には図７のような通孔１９が形成される。
符号１６は係合リブで、ガイド堤１５と同様、ホルダ本体１上に立設するリブ状堤である。係合リブ１６は、上板部１１の外周縁に沿って上板部１１から隆起し、上板部１１に蓋をする上蓋７の外周鍔部７２に係合して、該上蓋が横ズレしないよう保持する。
【００１３】
前記ガイド堤１５及び係合リブ１６はホルダ本体１の成形時に一体成形される。ここでのホルダ本体１は反射率の高い白色系(又は淡色系)樹脂成形品で、ガイド堤１５も白色系(又は淡色系)樹脂成形部にして、該ガイド堤の内壁面に反射面の役割を担わせる。あるいは、前記ガイド堤の内壁面側にアルミ蒸着や白色塗装等の反射構造膜ＶＤを設けて、反射面としてもよい。導光部材２の環状部２１から外方向へ抜け出た光の一部は、ガイド堤１５で反射され環状部２１へ戻される。ガイド堤１５の高さを環状盤の導光部材２よりも一段高くして、該ガイド堤が外塀のごとく導光部材２を囲み、さらに該導光部材の上面を上蓋７で蓋をして、導光部材２に入った光の大半を環孔２０内、収納穴１０内に向けて放つ本発明品の目的に寄与する。符号１３ａは弾性付勢力で収納穴１０内へ突出する係合片、符号１３ｂは収納穴１０の円筒壁１３に設けられ、係合片１３ａが押されて納まる切欠孔を示す。
【００１４】
導光部材２は透光性を有するアクリル樹脂(又は塩化ビニル樹脂等)の樹脂製環状盤で、環状部２１と導入部２５とを備える(図２)。環状部２１は前記ホルダ本体１の収納穴１０の上面開口１０ａに環孔２０を合わすようにして該ホルダ本体上に配される円盤部である。導入部２５は環状部２１からその接線方向に突出する舌片状盤部とする。環状部２１と導入部２５は一体成形される。そして、環状部２１の外周側面２１ｂには厚み方向にわたって等しい断面形状の窪み２２が複数繰り返し配設され、且つ導入部２５の外側面２５ｂにも窪み２６が複数繰り返し配設される(図２〜図５)。又は、両窪み２２,２６に代え、環状部２１の厚み方向に貫通する複数の透孔２３が間隔をおいて環状部２１を周回するよう繰り返し配設される(図６)。
【００１５】
本実施形態の導光部材２は図３のような一定厚みＷの環状盤で、その環状部２１が図示のごとくの円盤体になっている。
環状部２１は、断面が図４(ロ)ごとくの矩形で、その内周側面２１ｃを滑らかな円筒面とする。一方、環状部２１の外周側面２１ｂは図２の丸印から矢印で示した先の拡大図(拡大図は環状部２１の外周部分の平面図)にあるように、厚み方向にわたって等しい断面形状の円弧形窪み２２が繰り返し配設される。窪み２２は、導入部２５に接続する環状部２１の部分及び該導入部の内側面２５ｃの付け根に近い環状部２１の一部分αの両部分を除いて、環状部２１の外周側面２１ｂの全域に形成する。この形成された各窪み２２によって、図２のごとく導入部２５から環状部２１へ接線方向に入射する光ｖ０を効果的に反射し、環孔２０内(収納穴１０内)を照らす光ｖ１，ｖ２へと方向転換する。ここでは、隣り合う円弧形窪み２２との間に空きスペースをとらずに各窪み２２を連続的に設けて、より効果的に反射させる。と同時に、該窪み２２がつくる縦縞模様に係る縦ラインの輝き２４を多く形成する。各窪み２２で波状になるが、各窪み２２の最も深い部分ｍに光が集中することで、そこが強く発光し、あたかも多数のＬＥＤ４が発光しているように見せる。環状部２１の外周側面２１ｂに形成する窪み２２は、円弧形窪み２２に限らず、例えば図５のごとく、厚み方向にわたって等しい断面形状の窪み２２をＶ字形にすることもできる。
【００１６】
導入部２５は、既述のごとく環状部２１に接線方向に入る帯状盤部である。導入部２５の厚みｔ１,幅Ｗ１は、環状部２１の厚みｔ,幅Ｗと同じで、断面が図４(ロ)のような長四角になっている。導入部２５の外側面にも厚み方向にわたって等しい断面形状の円弧形窪み２６が繰り返し配設される。窪み２６は環状部２１に設けた窪み２２と同形状である。導入部２５の窪み２６は、図２のごとく環状部２１との接続部分から端面に至る距離のほぼ中間地点にまで形成される。少なくともこの中間地点まで窪み２６を設けなければ、導光部材２を組み込んだ容器ホルダを光源４で照らした後、図４の白抜き矢印方向に眺めた場合、矢印方向の先の部分だけが抜け落ちた環状縦縞模様になってしまう。導入部２５に接続する環状部２１の部分及び該導入部２５の内側面２５ｃの付け根に近い環状部２１の一部分αの両部分に窪み２２を設けなかったことに起因する。窪み２６を導入部２５の該中間地点まで設けることで、これを解消する。図１のごとく、環状部２１の全ての内周側面２１ｃから環孔２０内に向けて光り輝く環状縦縞模様が現れる。
符号２７は導入部２５の端面寄りの上面に設ける接続部材３との係合用小突起、符号２８は導入部２５の端面寄りの側面に設ける接続部材３との係合用小突起である。導光部材２の下面は平坦面で、また小突起２７を除けば、導光部材２の上面も図示のごとく平坦面になっている。尚、図３は小突起２７を、図７,図８は小突起２８の図示を省略する。
【００１７】
ここでは、上述した図２の導光部材２を一方の収納穴１０の上面開口周りにセットし、他方の収納穴１０の上面開口周りに図６の導光部材２をセットする。図８に示すように、図２の導光部材２ａを手前のホルダ本体１の受面１１ａに載置するが、図６の導光部材２ｂを奥方のホルダ本体１の受面１１ａに載置する。
【００１８】
図６の導光部材２ｂは、前記窪み２２,２６に代えて、その環状部２１の厚み方向に貫通する複数の透孔２３が一定間隔をおいて該環状体部を周回するよう繰り返し配設される。環状部２１の幅Ｗのほぼ中間点で、環状部２１の上下面を貫通する円柱孔の透孔２３が形成される。透孔２３の孔径は反射効率を良くするため1mmφ〜１.５mmφの範囲とする。環状部２１を一定ピッチで一周する透孔２３が設けられる。透孔２３のピッチ間隔は前記窪み２２のピッチ間隔にほぼ等しい。窪み２２の場合と同じような縦縞模様を得るためである。図６の導光部材２は透孔２３が環状部２１を一周するので、図６の白抜き矢印方向に眺めても縦縞模様を見ることができる。従って、図２のごとく導入部２５に透孔２３を設けてはいない。一方、図６の導光部材２ｂは、環状部２１の外周側面２１ｂ、さらに導入部２５の外側面２５ｂにアルミ蒸着(又は白色塗装等)による反射構造膜ＶＤを設ける。または、前述のガイド堤の内壁面側にアルミ蒸着や白色塗装等を行って反射構造膜ＶＤを設ける。透孔２３の場合、図２の窪み２２の場合に比べて反射効率が劣るので、反射構造膜ＶＤで反射効率を高める。図２の導光部材２においても、図４のように反射効率を高めるべく環状部２１の外周側面２１ｂ、さらに導入部２５の外側面２５ｂに反射構造膜ＶＤを設けてもよい。他の構成は図２の導光部材２ａと同様で、その説明を省く。
既述のごとく、本容器ホルダの導光部材２として、図２と図６の二種類の導光部材２ａ,２ｂを用いるが、図２の導光部材２ａを二つ用いることもできる。図示を省略するが図２の導光部材２ａだけの容器ホルダにすれば、製造コストを低くして、一層の低コスト化が図れる。
【００１９】
接続部材３は、前記導光部材２の導入部２５へ組付けて、ＬＥＤ４,プリント基板５等のＬＥＤモジュールを導入部端面２５ｅに取付け易くする部品である。ここでの接続部材３は、図３のようなボックス形樹脂成形品で、箱形のフレーム本体３０と、該フレーム本体の上部から四角筒状に前方に突出する嵌合部３５とからなる。フレーム本体３０は矩形前壁部３１の周囲を上壁部３３,下壁部３４,両側壁部３２で取り囲むボックス形状にして、下壁部３４の中央部分に配線用切欠３４ａを設ける。嵌合部３５の筒孔形状は導入部２５の断面形状に略等しい。嵌合部３５には前記小突起２７,２８の対応部位に切欠３６,３７が設けられ、導入部２５の端面２５ｅから該導入部に嵌合部３５の四角筒口を嵌入すると、それぞれの切欠３６,３７に小突起２７,２８が係合して、導光部材２に接続部材３が一体的に取着される。このとき、導光部材２の端面２５ｅは図３のごとくフレーム本体３０の前壁部３１に設けた四角孔３２ａから顔を出すが、箱形フレーム本体３０に係る前壁部３１の底面と導光部材２の端面２５ｅとがほぼ面一になる。導入部２５に取着した接続部材３は、その下半部をホルダ本体１の上板部１１に形成した前記通孔１９に挿着セットできる。また、該接続部材の挿着セットにあわせて、導光部材２をホルダ本体１の受面１１ａにセットできるようになっている。尚、図３は小突起２７の切欠３６，図７,図８は小突起２８の切欠３７の図示を省略する。
【００２０】
光源４は発光ダイオードからなり、本実施形態は三色ＬＥＤ４を用いる。図７のごとく、前記フレーム本体３０に嵌まる大きさのプリント基板５を用意し、その前面に三色ＬＥＤ４を実装する。該プリント基板の裏面には制御用ＩＣチップ５ａを実装する。ＬＥＤ４,ＩＣチップ５ａの実装プリント基板５を組付けた接続部材３は、ＬＥＤ４が導入部端面２５ｅに対向できるよう四角孔３２ａに近づく状態で、導光部材２に取着される。このＬＥＤ４は配線６で自動車の電気系統に接続し、スイッチを入れると電流が流れ、ＬＥＤ４が点灯する。本実施形態は、さらにプリント基板５から配線６が延び、ホルダ本体１の収納部内に設けた温度センサ(図示せず)につながる。該センサが感知した温度によってＬＥＤ４が赤、緑、青等へと変化する。三色ＬＥＤ４,プリント基板５等を含めたＬＥＤモジュールと接続部材３は、二つの導光部材２を設けるので、２セット用意する。
【００２１】
上蓋７は平面視大きさがホルダ本体１と同じ大きさのオーバル形の被い蓋である(図１,図８)。上蓋７の上板部７１で、収納穴１０に対向する部位には開口部７０が形成される。該開口部の大きさは上面開口１０ａ,環孔２０の大きさに一致する。上板部７１の外周縁からは略直角に屈曲して外周鍔部７２を延設し、前記開口部７０の周縁からは略直角に屈曲して内周鍔部７３を延設する。ホルダ本体１に導光部材２を載置した後、ホルダ本体１の上板部１１を上蓋７で被うことによって蓋がされる。このとき、外周鍔部７２の内側に前記係合リブ１６が納まり、上蓋７は横ズレしないよう保持される。
【００２２】
前記各構成部品は、例えば次のように組立てて容器ホルダにする。三色ＬＥＤ４,制御用ＩＣチップ５ａ等を実装したプリント基板５から延びる配線６を自動車の電気系統につなぐ。プリント基板５がホルダ本体１の下側から通孔１９をくぐり抜け、図７の手前側のプリント基板５のように、ホルダ本体１の上板部１１よりも該プリント基板を上方へ引き上げる。これと相前後して、図３のように導入部２５へ嵌合部３５を差し込んで、導光部材２に接続部材３を取着しておく。次いで、導光部材２を装着した図３の接続部材３に係るフレーム本体３０の四角孔３２ａに三色ＬＥＤ４を向けるようにして、プリント基板５をフレーム本体３０に装着する。斯かる状態にした後、図８のごとく、接続部材３の下半部を通孔１９に挿着すると共に、導光部材２をホルダ本体１の受面１１ａ上に載置する。その後、ホルダ本体１の上板部１１に上蓋７を載せると、本容器ホルダの完成となる。ＬＥＤ４は、導入部２５の端面２５ｅに近接又は当接し、該ＬＥＤから発する光が図２のごとく環状部２１に接線入射するよう設置される。導入部２５から環状部２０へ光ｖ０を入射することにより、窪み２２,２６又は透孔２３の形成で、光反射の縦縞模様を出現させる容器ホルダが出来上がる。該容器ホルダは、例えば図１のごとく車室内のコンソールボックス９に組み込まれる。
【００２３】
このように構成した容器ホルダは、光源４としての三色ＬＥＤ４が点灯すると、該ＬＥＤの発する光ｖ０が導入部２５の端面２５ｅから、図２のごとく環状部２１に接線方向に入る。環状部２１に対して法線状に入る光と違って、接線方向に入った光ｖ０は、環状部２１の外周側面２１ｂで、環孔２０内に向けて効率良く反射される。しかも、環状部２１の外周側面２１ｂに各窪み２２を波状配設したことによって、接線方向に入った光ｖ０は、図２の拡大図のごとく窪み２２が効果的な反射面となって、全反射に近づく形で環孔２０内へと方向転換する。かくして、夜間走行中の容器ホルダの収納穴１０の視認がし易くなり、飲料容器の出し入れが楽になる。
【００２４】
環状部２１の内周側面２１ｃに窪み２２を設けたときに比べ、本発明のごとく環状部２１の外周側面２１ｂに設ける方が反射効率を高め、環孔２０内へ向かう光ｖ１〜ｖ３の輝きが増す。環状部２１に接線方向に入ったＬＥＤ４の光ｖ０の多くが各窪み２２で順次反射されて、それらの光が環孔２０へと向かう。導入部２５から環状部２１へ接線方向に入射する光ｖ０を、環状部２１の外周側面２１ｂに設けた各窪み２２、さらに導入部２５の外側面２５ｂに設けた各窪み２６が次々と反射し、環孔２０内(収納穴１０内)を照らす光ｖ１〜ｖ３へと方向転換する。
各窪み２２,２６は繰り返し配設されて波状となり、各窪み２２,２６の最も深い部分に光が集中して、その箇所が強く発光２４し、あたかも多数のＬＥＤが発光しているように輝く。各窪み２２,２６の波形状が、光を拡散させ乱反射させる作用を生み、環孔２０内(収納穴１０内)を照らす光を一層明るくする。そして、各窪み２２は環状部２１の外周側面２１ｂで厚み方向にわたって等しい断面形状になっているので、各窪み２２が縦縞模様に係る縦ラインの光(輝き２４)を環孔２０内に向ける。
窪み２２に代えて透孔２３の場合も、同じような縦縞模様に係る縦ラインの光(輝き２４)を環孔２０内に向ける。
【００２５】
こうして、環状部２１の全ての内周側面２１ｃから環孔２０内に向けて縦ラインの光２４があやなす環状縦縞模様が現れる。環状部２１の内周面から一様に環孔２０内(収納穴１０内)を照らす環状の縦縞模様の輝き２４は、夜間走行中の容器ホルダの位置確認が容易になるだけでなく、装飾効果を高めて見栄えを良くする。縦縞模様を形成するための別部品や特許文献１における導光部材２の回転動作等を要しない。導光部材２を静止させたままでも、見事な光の演出を楽しむことができる。
【００２６】
環状部２１の外周側面２１ｂ及び導入部２５の外側面２５に配設される複数の窪み２２,２６を同形状とし、さらに各窪み２２,２６が一定間隔で繰り返し配設されるので、その規則正しい縦縞模様の輝き２４で鮮やかさが際立ち、装飾効果が増大する。また、環状部２１に接線方向に照射する一個のＬＥＤ４の光で、ホルダ本体１(収納ケース)の上面開口周縁の全体を綺麗に照らす。シンプルにして、容器ホルダの低コスト化,消費電力の節約につながる。
【００２７】
また、本導光部材２は日中の太陽の光でも窪み２２,２６(又は透孔２３)で反射するので、収納穴１０を覗くと綺麗な縦縞模様の輝き２４を発するのが見える。本容器ホルダは車室内装の装飾性を高めるうえで優れものになっている。
加えて、本容器ホルダは、既述のごとく部品点数が少なく且つコンパクトな構成にして、さらに導光部材２の成形が容易で、低コスト化できる。とりわけ図２のような窪み２２を設ける導光部材２は、射出成形で極めて容易に成形できるので、容器ホルダの低廉化に一層貢献する。
【００２８】
ところで、容器ホルダにはペットボトル等の飲料容器だけでなく、キー等の金属品を収納する容器として使用されるケースも多い。導光部材２の内周側面２１ｃに窪み２２があれば、それらの出し入れで削れたり欠けたりする虞がある。縦縞模様の輝き２４を形成する本発明の窪み２２は本導光部材２の外周側面２１ｂに設けるので、収納穴１０への飲料容器等の物の出し入れで、該窪みが傷つくことがない。透孔２３も導光部材２の内周側面２１ｃに設けていないので、収納穴１０への飲料容器等の物の出し入れで傷つくことがない。窪み２２がつくる綺麗な縦縞模様の輝き２４を永く安定維持できる。さらにいえば、本導光部材２の内周側面２１ｃには凹凸を設ける必要がなく、滑らかな円筒面になっているので、収納穴１０への飲料容器等の物の出し入れも容易となる。収納穴１０,導光部材２等が汚れた時にも、綺麗に且つ簡単に拭くことができる。
【００２９】
また、白色系(又は淡色系)樹脂成形部のリブ状ガイド堤１５をさらに設けることによって、組立て性の向上、導光部材２の安定性向上だけでなく、この内壁が反射面を担い、縦縞模様の輝きをさらに増大させることができる。さらに環状部２１の外周側面２１ｂまたはガイド堤の内壁面１５ｂに、反射構造膜ＶＤを設けることによって、縦縞模様の輝きを一段と増大させることができる。かくのごとく、本容器ホルダは数々の優れた効果を発揮する。
【００３０】
尚、本発明においては、前記実施例に示すものに限られず、目的，用途に応じて本発明の範囲で種々変更できる。ホルダ本体１，導光部材２，接続部材３，光源４，上蓋７等の形状，大きさ，個数などは用途に応じて適宜選択できる。
【図面の簡単な説明】
【００３１】
【図１】本発明の容器ホルダの一形態で、その全体斜視図である。
【図２】導光部材の斜視図である。
【図３】図２の導光部材に接続部材を組付けた斜視図である。
【図４】(イ)が図２の導光部材の外周側面に反射構造膜を付加した平面図、(ロ)が(イ)のII−II線断面図である。
【図５】(イ)が図４とは他態様の導光部材の外周側面に反射構造膜を付加した平面図、(ロ)が(イ)のIII−III線断面図である。
【図６】図６は(イ)が図４,図５とはまた別態様の導光部材の外周側面に反射構造膜を付加した平面図、(ロ)が(イ)のIV−IV線断面図である。
【図７】図７は奥方のホルダ本体の受面に図６の導光部材を載置した斜視図である。
【図８】図７の状態からさらに手前のホルダ本体の受面に図２の導光部材を載置した斜視図である。
【符号の説明】
【００３２】
１              ホルダ本体
１０            収納穴
１０ａ          上面開口
１５            ガイド堤
２,２ａ,２ｂ    導光部材
２０            環孔
２１            環状部
２１ｂ          外周側面
２２，２６      窪み
２３            透孔
２５            導入部
２５ｂ          外側面
ＶＤ            反射構造膜
【図１】
2010132201.tif 000003
【図２】
2010132201.tif 000004
【図３】
2010132201.tif 000005
【図４】
2010132201.tif 000006
【図５】
2010132201.tif 000007
【図６】
2010132201.tif 000008
【図７】
2010132201.tif 000009
【図８】
2010132201.tif 000010